(57)【特許請求の範囲】
【請求項１】
計器類取付用パネルに背面側から挿入されるとともに前記パネルに係止されるつば部と、このつば部付近から前記背面側に向って形成された第１の係合部を有する四角柱状の計器ケースと、
この計器ケースの外周に形状を合せ前記つば部寸法と同じ又は小さい厚みで形成された枠型の取付具であって、前記第１の係合部に係合される第２の係合部を有し前記背面側からはめ込まれた取付具と、
を具備し、
前記第１の係合部は前記計器ケースの外周の対面する位置に配置され、これに合せて前記第２の係合部が形成されてなり、
前記取付具は、前記パネルの裏面に当接する複数の突部を分散して有する弾性枠体を、前記パネルの裏面に向けた端面側に複数箇所で連結して有してなる、
ことを特徴とする計器ケースの取付装置。
【請求項２】
前記取付具は、対角する位置からこれに沿って斜上方又は斜下方に突出し前記パネルの裏面側を押圧するねじを保持した保持部を有する請求項２記載の計器ケースの取付装置。
【発明の詳細な説明】
【０００１】
【発明の属する技術分野】
本発明は計器ケースの取付装置に係り、例えば調節計等の計器類のケース（計器ケース）を計器取付用パネルに取付ける場合に使用される取付装置の改良に関する。
【０００２】
【従来の技術】
従来、この種の取付装置としては、四角柱状の計器ケースの前面操作部側の外周につば部を突設させ、この計器ケースの胴部をパネルの取付孔に挿入し、その胴部に取付具を取付けてパネルの裏面に当接させるとともに、その取付具を計器ケースの胴部に係合させ、それら取付具とつば部間でパネルを挟持するようにして計器ケースをパネルに固定する構成が良く知られている。
【０００３】
【発明が解決しようとする課題】
しかしながら、近年、調節計等の計器類を横方向へ密接して並べたり、縦方向へ密接して積層するように配置する要望があり、このように上下や左右に密接して配列する場合、従来の計器ケースの取付装置では、計器ケースの胴部に取付けた取付具が邪魔となり、取付具の厚み分だけ隣合う計器類を離す必要が生じて密接した配列が困難であった。
【０００４】
本発明はそのような状況の下になされたもので、複数の計器ケースをパネルに密接した状態で固定することが可能で、構成のみならず取付けや取外し操作も簡単な取付装置の提供を目的とする。
【０００５】
【課題を解決するための手段】
このような課題を解決するために本発明の取付装置は、計器類取付用パネルに背面側から挿入されるとともにそのパネルに係止されるつば部と、このつば部付近からその背面側に向って形成された第１の係合部を有する四角柱状の計器ケースと、この計器ケースの外周に形状を合せそのつば部寸法と同じ又は小さい厚みで形成された枠型の取付具であって、その第１の係合部に係合される第２の係合部を有し背面側からはめ込まれた取付具とを具備している。
【０００６】
しかも、本発明は、上記計器ケースの外周の対面する位置にその第１の係合部を配置し、これに合せてその第２の係合部を有している。
【０００７】
さらに、本発明は、上記パネルの裏面に当接する複数の突部を分散して有する弾性枠体が、上記取付具にあってはそのパネルの裏面に向けた端面側にて複数箇所で連結されている。
【０００８】
さらにまた、本発明は、上記取付具の対角する位置から、その対角に沿って斜上方又は斜下方に突出し上記パネルの裏面側を押圧するねじを保持した保持部を設ける構成も可能である。
【０００９】
【発明の実施の形態】
以下、本発明の実施の形態を図面を参照して説明する。
図１〜図３は本発明に係る取付装置の実施の形態を示す概略斜視図、平面図（一部断面で示す。）および側面図である。
【００１０】
図１において、例えばポリカーボネイト樹脂、ポリアセタール樹脂等の合成樹脂を四角柱状に成形してなる計器ケース１は、この一部を形成する前面操作部３の外周から一体的に突出するつば部５を有し、計器類取付用のパネル７の取付孔９にその計器ケース１を背面（裏面）側胴部１１から挿入され、つば部５がパネル７の表面側に当接するようになっている。
【００１１】
前面操作部３は横長に置いた長方形となっており、表示部１３としての液晶表示器その他が配置されている。
【００１２】
計器ケース１の背面側端部には外部接続用の端子部があるが、本発明の要部ではないので説明を省略する。
計器ケース１の胴部１１にあって、例えば左右の狭い対面側面には第１の係合部としてののこぎり歯状係合溝１５が、つば部５と並行に複数形成されている。なお、図１では対向する他方の係合溝は隠れて見えない。
【００１３】
図２および図３において、取付具１７は、例えばポリカーボネイト樹脂、ポリアセタール樹脂等の合成樹脂から計器ケース１の胴部１１の横断面形状と同じ又は僅かに大径の横断面形状に形成された枠板状を有し、つば部５の突出寸法とほぼ同じ又はこれより薄い厚みで形成されてなり、パネル７の取付孔９に挿入された計器ケース１にこの背面側から胴部１１に挿入されている。
【００１４】
取付具１７は、計器ケース１の胴部１１の左右の狭い側面に相当する位置において、対向する１対の係合片１９が後方へ延びており、この係合片１９の内側には、のこぎり歯状の係合溝１５に係合する第２の係合部としての係合爪２１が形成されている。
【００１５】
１対の係合片１９は、図４〜図６に示すように、若干対角位置にずれるように形成されている。
【００１６】
そして、取付具１７は、計器ケース１の係合溝１５に取付具１７の係合爪２１が係合した状態で前面（パネル裏面）方向へのスライドは可能である一方、後方への移動が規制されており、係合片１９を外側へ広げるように変形させて係合溝１５と係合爪２１との係合を外せば、後退可能になっている。
【００１７】
取付具１７の対角する２箇所の角部からは、筒型の保持部２３がその対角方向に沿って各々一体的に突設されており、この保持部２３にはねじ２５がねじ込み可能になっており、計器ケース１の軸方向に延びている。
【００１８】
保持部２３の突出方向は正確な対角方向ではないが、後述するように同形状の計器ケース１を縦方向又は横方向に密接配置しても邪魔にならない斜上方又は斜下方に位置するように配置されている。
また、保持部２３には、軸方向に延びる割溝２７が形成されており、若干径大のねじ２５がセルフタップ式にねじ込み可能になっている。
【００１９】
取付具１７にあってパネル７の裏面に向いた端面側には、取付具１７と同じ枠形状の細い弾性枠２９が一体的に連結されている。
この弾性枠２９は、取付具１７の端面側の各四辺ほぼ中央の連結部３１で一体的に突出するように形成される一方、その連結部３１の間、すなわち弾性枠２９の角部を挟んで両側にはパネル７の裏面方向へ突出する突部３３が複数形成されており、連結部３１間（角部近傍）が弾性変形可能になっている。
【００２０】
次に、このような計器ケースの取付装置の組立て方法を説明する。
まず、図１のように、計器ケース１を胴部１１の後方からパネル７の取付孔９に挿入し、つば部５をパネル７の表面側に当接させる。
【００２１】
次いで、図２および図３に示すように、保持部２３にねじ２５をねじ込んだ取付具１７を計器ケース１の胴部１１に背面側からはめ込み、胴部１１の係合溝１５に取付具１７の係合爪２１を係合させた状態で前進動させ、取付具１７の弾性枠２９の突部３３をパネル７の裏面に圧接させる。この状態では、取付具１７の弾性枠２９の角部がパネル７によって若干背面側へ変形する。
【００２２】
そして、ねじ２５をねじ込んでパネル７の裏面に圧接させ、計器ケース１のつば部５と取付具１７の弾性枠２９間でパネル７を弾性的に挟むとともに、計器ケース１のつば部５とねじ込んだ保持部２３の圧接により、計器ケース１がパネル７に挟持される。
【００２３】
計器ケース１をパネル７から外す場合には、取付具１７の係合片１９を広げるように変形させれば、係合溝１５と係合爪２１の係合が外れ、取付具１７を引抜けば良い。
【００２４】
そして、図７に示すように、パネル７の例えば横方向に長い取付孔（図７では見えない。）に対して、複数（２個）の計器ケース１をはめ込み、これに上述した取付具１７をはめ込み、取付具１７の弾性枠２９をパネル７の裏面に圧接させるとともにねじ（図８では省略）をねじ込んでパネル７の裏面に圧接させれば、複数の計器ケース１が横方向に密着配置される。
【００２５】
しかも、ねじ２５を保持する保持部２３が斜対角方向に突出しているから、保持部２３が隣合う計器ケース１の邪魔にならない。
また、複数（２個）の計器ケース１を、図８に示すように、縦方向に密接して配置する場合も、組立て方法は同様であり、ねじ２５を保持する保持部２３が積層した計器ケース１の邪魔にならない。
【００２６】
このように構成された本発明の取付装置では、計器ケース１の前面操作部側につば部５を形成するとともにその胴部１１の対向側面に係合溝１５を形成し、その計器ケース１をパネル７の取付孔９にその背面側から挿入してつば部５をそのパネル７に当接し、その計器ケースの外周に形状を合せそのつば部寸法と同じ又は小さい厚みで形成した取付具１７には、係合溝１５に係合する係合爪２１と、対角する角部から対角方向に沿って一体的に突設するねじ２５の保持部２３とを設けるとともに、複数の連結部３１で連結させた細い弾性枠２９をその前面側に形成し、その弾性枠２９にはパネル裏面方向へ突出する複数の突部３３を形成したから、パネル７の取付孔９に挿入した計器ケース１に取付具１７をはめ込み、胴部１１の係合溝１５に取付具１７の係合爪２１を係合させた状態で前進動させ、保持部２３のねじ２５をねじ込めば、その弾性枠２９の突部３３およびねじ２５がパネル７の裏面に当接し、計器ケース１がパネル７に弾性的に保持される。
【００２７】
しかも、計器ケース１のつば部５の寸法と同じ又は小さい厚みで取付具１７が形成され、ねじ２５を保持する保持部２３が斜上方および斜下方に位置するよう対角方向に突出されているから、図７および図８に示すように、保持部２３が隣合う計器ケース１の邪魔にならず、横方向又は縦方向に密接できる利点がある。
【００２８】
そして、枠板状の１個の取付具１７を計器ケース１の胴部１１にはめ込むだけで保持可能となるから、構成が簡単であるばかりか取付け取外しも簡単となるし、価格も安価である。
【００２９】
また、計器ケース１の胴部１１に形成する係合溝１５を対角する位置に形成する一方、これに合せて係合爪２１を対角位置に配置するから、取付具１７が計器ケース１の胴部１１に安定的に係合され、計器ケース１のパネル７への取付けも安定する。
【００３０】
さらにまた、パネル７に当接する弾性枠２９が取付具１７との連結部３１間で変形可能となっているから、そのパネル７の裏面に当接した弾性枠２９が容易に弾性変形して当接し、パネル７等を傷め難くなるし、弾性枠２９に突部３３を均等に分散配置したから、この点からも弾性枠２９がパネル７の裏面に安定して当接される。
【００３１】
そして、本発明の計器ケースの取付装置おいては、弾性枠２９を有し保持部２３を省略した取付具１７で実施しても、ある程度本発明の目的達成が可能であるが、取付具１７に保持部２３を設けてこれにねじ２５をねじ込んで構成すれば、より一層強固に計器ケース１をパネル７へ取付けることが可能となる。
【００３２】
ところで、上述した構成において、計器ケース１の胴部１１に形成する係合溝１５やこれに係合される取付具１７の係合爪２１は、これに限定されず、取付具１７の前進動が可能である反面、後退を規制するような第１および第２の係合部を設ければ本発明の目的達成が可能である。
【００３３】
【発明の効果】
以上説明したように本発明の取付装置は、取付用パネルに係止されるつば部と第１の係合部を計器ケースに形成し、この計器ケースの外周に形状を合せかつつば部寸法と同じ又は小さい厚みで形成されその計器ケースの外周に背面側からはめ込まれた枠型の取付具に、その第１の係合部に係合される第２の係合部を形成し、更に、その計器ケースの外周の対面する位置にその第１の係合部を配置するとともにこれに合せてその第２の係合部を形成し、上記パネルの裏面に当接する複数の突部を分散して有する弾性枠体を、上記取付具にあって上記パネルの裏面に向けた端面側の複数箇所で連結する構成としたから、１個の取付具によって計器ケースをパネルに保持させることが可能となるうえ、複数の計器ケースを縦又は横方向に密接した状態でパネルに固定することが可能で、しかも構成のみならず取付けや取外し操作も簡単で、価格も安価となる。
しかも、取付具が計器ケースに安定的に係合されるし、そのパネルの裏面に当接した取付具が弾性変形可能となり、パネルなどを傷め難い。
さらにまた、上記取付具の対角する位置から、その対角に沿って斜上方又は斜下方に突出しパネルの裏面側を押圧するねじを保持した保持部を設ける構成では、上述した効果に加えて計器ケースをパネルに強固に固定できる。
【図面の簡単な説明】
【図１】本発明に係る取付装置の実施の形態を示す概略斜視図である。
【図２】図１の取付装置の平面図（図３中のＡ部分の断面を示す。）である。
【図３】図１の取付装置の側面図である。
【図４】図１中の取付具の斜視図である。
【図５】図１中の取付具の斜視図である。
【図６】図１中の取付具の正面図である。
【図７】本発明の計器ケースの取付装置の使用例を説明する斜視図である。
【図８】本発明の計器ケースの取付装置の別の使用例を説明する斜視図である。
【符号の説明】
１  計器ケース
３  前面操作部
５  つば部
７  パネル
９  取付孔
１１  胴部
１３  表示部
１５  係合溝（第１の係合部）
１７  取付具
１９  係合片
２１  係合爪（第２の係合部）
２３  保持部
２５  ねじ
２７  割溝
２９  弾性枠
３１  連結部
３３  突部
【図１】
0003613322.tif 000002
【図２】
0003613322.tif 000003
【図３】
0003613322.tif 000004
【図４】
0003613322.tif 000005
【図５】
0003613322.tif 000006
【図６】
0003613322.tif 000007
【図７】
0003613322.tif 000008
【図８】
0003613322.tif 000009